(57)【特許請求の範囲】
【請求項１】
物体側より像側へ順に、正の屈折力の第１レンズ群、負の屈折力の第２レンズ群、全体として正の屈折力を有する後群より成り、該後群は正の屈折力の第３レンズ群、負の屈折力の第４レンズ群、正の屈折力の第５レンズ群より成り、ズーミングに際して各レンズ群間の空気間隔が変化するズームレンズにおいて、前記第２レンズ群は３枚の負レンズと２枚の正レンズを有し、ｉを物体側から像側へ数えたときの順序とし、広角端と望遠端における第ｉレンズ群と第ｉ＋１レンズ群の空気間隔を各々Ｄｉｗ、Ｄｉｔ、前記第２レンズ群を構成する正レンズのうち屈折力が最も大きい正レンズの材料のアッベ数及び部分分散比を各々νｄ、θｇＦとするとき、
Ｄ１ｗ  ＜  Ｄ１ｔ
Ｄ２ｗ  ＞  Ｄ２ｔ
Ｄ３ｗ  ＜  Ｄ３ｔ
Ｄ４ｗ  ＞  Ｄ４ｔ
３０  ＜  νｄ
θｇＦ  ＜  −１．７９×１０−３・νｄ  ＋０．６５４
なる条件を満足することを特徴とするズームレンズ。
【請求項２】
前記第２レンズ群は、物体側より像側へ順に、像側の面が凹でメニスカス形状の負レンズ、負レンズ、正レンズ、負レンズ、正レンズより成ることを特徴とする請求項１のズームレンズ。
【請求項３】
前記第３レンズ群及び前記第５レンズ群の少なくとも１つの正レンズの材料の部分分散比をθｇＦａ、アッベ数をνｄａとするとき、
−０.００１５×νｄａ＋０.６４２５＜θｇＦａ
６０  ＜  νｄａ
なる条件を満足することを特徴とする請求項１又は２のズームレンズ。
【請求項４】
前記第２レンズ群は少なくとも１つの非球面を有することを特徴とする請求項１、２又は３のズームレンズ。
【請求項５】
前記第１レンズ群の焦点距離をｆ１、前記第２レンズ群の焦点距離をｆ２、広角端における全系の焦点距離をｆｗ、望遠端における全系の焦点距離をｆｔとするとき
４．５＜ｆ１／ｆｗ＜８
０．３５＜|ｆ２|／√（ｆｗ×ｆｔ）＜０．６
なる条件を満足することを特徴とする請求項１から４のいずれか１項のズームレンズ。
【請求項６】
前記第２レンズ群の焦点距離をｆ２、前記第３レンズ群の焦点距離をｆ３、前記第４レンズ群の焦点距離をｆ４、前記第５レンズ群の焦点距離をｆ５とするとき、
１．５＜ｆ３／｜ｆ２｜＜２．５
２＜｜ｆ４／ｆ２｜＜３．５
２＜ｆ５／｜ｆ２｜＜５
なる条件を満足することを特徴とする請求項１から５のいずれか１項のズームレンズ。
【請求項７】
前記第２レンズ群を光軸方向に移動させてフォーカシングを行うことを特徴とする請求項１から６のいずれか１項のズームレンズ。
【請求項８】
前記第４レンズ群の全部又は一部のレンズ群を光軸と垂直方向の成分を持つように移動させて結像位置を移動させることを特徴とする請求項１から７のいずれか１項のズームレンズ。
【請求項９】
広角端でのバックフォーカスをＳＫｗ、広角端における全系の焦点距離をｆｗとするとき、
１．８  ＜ＳＫｗ／ｆｗ＜    ２．９
なる条件を満足することを特徴とする請求項１から８のいずれか１項のズームレンズ。
【請求項１０】
固体撮像素子に像を形成することを特徴とする請求項１乃至９のいずれか１項に記載のズームレンズ。
【請求項１１】
請求項１乃至１０のいずれか１項のズームレンズと、該ズームレンズによって形成された像を受光する固体撮像素子を有することを特徴とする撮像装置。
【発明の詳細な説明】
【技術分野】
【０００１】
本発明はズームレンズ及びそれを有する撮像装置に関し、例えばデジタルカメラ、ビデオカメラ、銀塩フィルム用カメラ等の撮像装置に好適なものである。
【背景技術】
【０００２】
近年、デジタルカメラ等の撮像装置に用いられる撮像素子は、高画素化が進んでいる。それに対応して高画素の撮像素子を備える撮像装置で用いる撮影レンズ（撮像光学系）には、高解像力で、しかも高ズーム比のズームレンズであることが求められている。
【０００３】
高解像力のズームレンズであるためには、まず球面収差やコマ収差等の単色（単波長）での像性能に関わる諸収差が良く補正されていることが必要である。更に、それに加え、白色光の照明光を用いたときに得られる像に色にじみがないように色収差が十分良く補正されていることが必要である。
【０００４】
又、高ズーム比のズームレンズであることは、撮影領域の拡大の為必要である。
【０００５】
一般に高ズーム比化を図るために、望遠端のズーム位置での焦点距離をより長くすると、広角側のズーム位置では諸収差のうち倍率色収差が多く発生し、又望遠側のズーム位置では倍率色収差及び軸上色収差が多く発生してくる。そのため色収差として、一時スペクトルのみならず、二次スペクトルでの補正を良好に行うことが高画質な像性能を得るために重要になっている。
【０００６】
一般に撮影光学系では、レンズ全長（第１面から像面までの距離、光学全長ともいう）を短縮すればするほど軸上色収差及び倍率色収差などの色収差が多く発生し、光学性能が低下する。
【０００７】
特にテレフォトタイプ(望遠タイプ)の光学系では、焦点距離を伸ばすほど色収差が拡大し、レンズ全長の短縮に伴う色収差が増大してくる。
【０００８】
このような色収差の発生を低減する方法として、異常部分分散材料を用いた色消し方法が一般的によく知られている。
【０００９】
望遠型（テレフォトタイプ）のズームレンズとして、物体側より像側に順に、正、負、正、正の屈折力のレンズ群より成る４群構成のズームレンズにおいて異常分散性を有するガラスを用いて色収差を補正したものが知られている（特許文献１、２）。
【００１０】
又、物体側から実施例へ順に、正、負、正、負、正の屈折力のレンズ群より成り、異常分散性を有するガラスより成るレンズを用いて色収差を補正したズームレンズが知られている（特許文献３〜５）。
【特許文献１】特開２０００−３２１４９９号公報
【特許文献２】特開平８−２４８３１７号公報
【特許文献３】特開２００１−３５００９３号公報
【特許文献４】特開２００２−６２４７８号公報
【特許文献５】特開２００１−１９４５９０号公報
【発明の開示】
【発明が解決しようとする課題】
【００１１】
デジタルカメラやビデオカメラ等において、高解像度の画像を得るには、白色光の照明下において色にじみ具合や像の解像感を左右する色収差を十分補正したズームレンズであることが必要である。
【００１２】
特に広角側において倍率色収差を良好に補正したズームレンズであることが必要である。
【００１３】
色収差補正用に用いられている蛍石等の大きな異常分散特性を有するガラスは、一般に材料の屈折率が低い。このためズームレンズおいてこれらの硝材を用いて所望の二次スペクトルの補正を行うためには各レンズ群内のレンズ構成及びレンズの材料を適切に設定する必要がある。
【００１４】
例えば、蛍石のようなアッベ数の大きい低分散ガラスを使った光学系では、レンズ面の屈折力を大きく変化させないと色収差が変化しない。このため、高ズーム比のズームレンズでは色収差の補正と、球面収差、コマ収差、非点収差などの諸収差を全ズーム範囲でバランス良く補正することができるレンズ構成とする必要がある。
【００１５】
本発明は、色収差、特に倍率色収差の２次スペクトルを始めとする諸収差を全ズーム域にわたって良好に補正することができ、高い光学性能を有するズームレンズ及びそれを有する撮像装置の提供を目的とする。
【課題を解決するための手段】
【００１６】
本発明のズームレンズは、物体側より像側へ順に、正の屈折力の第１レンズ群、負の屈折力の第２レンズ群、全体として正の屈折力を有する後群より成り、該後群は正の屈折力の第３レンズ群、負の屈折力の第４レンズ群、正の屈折力の第５レンズ群より成り、ズーミングに際して各レンズ群間の空気間隔が変化するズームレンズにおいて、前記第２レンズ群は３枚の負レンズと２枚の正レンズを有し、ｉを物体側から像側へ数えたときの順序とし、広角端と望遠端における第ｉレンズ群と第ｉ＋１レンズ群の空気間隔を各々Ｄｉｗ、Ｄｉｔ、前記第２レンズ群を構成する正レンズのうち屈折力が最も大きい正レンズの材料のアッベ数及び部分分散比を各々νｄ、θｇＦとするとき、
Ｄ１ｗ  ＜  Ｄ１ｔ
Ｄ２ｗ  ＞  Ｄ２ｔ
Ｄ３ｗ  ＜  Ｄ３ｔ
Ｄ４ｗ  ＞  Ｄ４ｔ
３０  ＜  νｄ
θｇＦ  ＜  −１．７９×１０−３・νｄ  ＋０．６５４
なる条件を満足することを特徴としている。
【発明の効果】
【００１８】
本発明によれば、色収差、特に倍率色収差の２次スペクトルを始めとする諸収差を全ズーム域にわたって良好に補正することができ、高い光学性能を有するズームレンズ及びそれを有する撮像装置が得られる。
【発明を実施するための最良の形態】
【００１９】
以下、本発明のズームレンズ及びそれを有する撮像装置について説明する。
【００２０】
図１は本発明の実施例１のズームレンズの広角端（短焦点距離端）におけるレンズ断面図、図２、図３はそれぞれ実施例１のズームレンズの広角端、望遠端（長焦点距離端）における収差図である。
【００２１】
図４は本発明の実施例２のズームレンズの広角端におけるレンズ断面図、図５、図６はそれぞれ実施例２のズームレンズの広角端、望遠端における収差図である。
【００２２】
図７は本発明の実施例３のズームレンズの広角端におけるレンズ断面図、図８、図９はそれぞれ実施例３のズームレンズの広角端、望遠端における収差図である。
【００２３】
図１０は本発明の実施例４のズームレンズの広角端におけるレンズ断面図、図１１、図１２はそれぞれ実施例４のズームレンズの広角端、望遠端における収差図である。
【００２４】
図１３は、本発明の撮像装置の要部概略図である。
【００２５】
本発明のズームレンズは、デジタルカメラ、ビデオカメラ、銀塩フィルム用カメラ等の撮像装置や、望遠鏡、双眼鏡の観察装置、複写機、プロジェクター等の光学機器に用いられるものである。
【００２６】
図１、４，７，１０に示したレンズ断面図において、左方が前方（物体側、拡大側）で、右方が後方（像側、縮小側）である。
【００２７】
ｉは物体側から数えたときの順序を示し、Ｌｉは第ｉレンズ群である。
【００２８】
各実施例のズームレンズは、物体側より像側へ順に、正の屈折力の第１レンズ群Ｌ１、負の屈折力の第２レンズ群Ｌ２、複数のレンズ群を含む全体として正の屈折力の後群ＬＲより成っている。そして第１レンズ群Ｌ１と第２レンズ群Ｌ２の間隔及び第２レンズ群Ｌ２と後群ＬＲとの間隔を変えてズーミングを行っている。
【００２９】
各実施例では後群ＬＲは正の屈折力の第３レンズ群Ｌ３、負の屈折力の第４レンズ群Ｌ４、正の屈折力の第５レンズ群Ｌ５より成っている。
【００３０】
Ｐ２Ａ、Ｐ２Ｂは正レンズである。Ｌ４ａ、Ｌ４ｂは負の屈折力のレンズ群である。
【００３１】
ＳＰは開口絞りであり、各実施例では、第３レンズ群Ｌ３中に配置されている。
【００３２】
ＳＳＰはフレアーカット絞りであり、各実施例では第３レンズ群Ｌ３の物体側に配置している。
【００３３】
ＩＰは像面であり、ビデオカメラやデジタルスチルカメラの撮影光学系として使用する際にはＣＣＤセンサやＣＭＯＳセンサ等の固体撮像素子（光電変換素子）の撮像面に相当する感光面が置かれる。
【００３４】
収差図において、ｄ、ｇ、Ｃ，Ｆは各々ｄ線、ｇ線、Ｃ線、Ｆ線である。Ｓ・Ｃは正弦条件である。ΔｄＭ、ΔｄＳはｄ線のメリディオナル像面、サジタル像面、ΔｇＭ，ΔｇＳはｇ線のメリディオナル像面、サジタル像面である。ｆｎｏはＦナンバー、ωは半画角である。
【００３５】
各実施例では、広角端から望遠端へのズーミングに際して矢印のように、各レンズ群を移動させている。
【００３６】
具体的には、広角端から望遠端へのズーミングに際し、第１レンズ群Ｌ１は物体側へ、第２レンズ群Ｌ２は像側へ、第３レンズ群Ｌ３、第４レンズ群Ｌ４、第５レンズ群Ｌ５は各々のレンズ群に挟まれた空気間隔を変化させつつ物体側へ移動している。
【００３７】
各実施例において広角端と望遠端は変倍用レンズ群が機構上、光軸上移動可能な範囲の両端に位置したときのズーム位置をいう。
【００３８】
次に、各実施例の特徴について説明する。
【００３９】
第２レンズ群Ｌ２は３枚の負レンズと２枚の正レンズを有している。そして第２レンズ群Ｌ２中の最も正の屈折力の強い正レンズＰ２Ａの材料のアッベ数及び部分分散比を各々νｄ、θｇＦとする。
【００４０】
このとき、
３０＜νｄ・・・・・(１)
θｇＦ＜-１.７９×１０−３・νｄ  ＋ ０.６５４・・・・・(２)
なる条件を満足している。
【００４１】
ここで光学部材のアッベ数νｄと部分分散比θｇＦは次のとおりである。
【００４２】
今、フラウンフォーファー線のｇ線、Ｆ線、ｄ線、Ｃ線に対する屈折率をそれぞれＮｇ、ＮＦ、Ｎｄ、ＮＣとする。このときアッベ数νｄと部分分散比θｇＦは
νｄ＝（Ｎｄ−１）／（ＮＦ−ＮＣ）
で表される。
【００４３】
従来、広角域を含む高ズーム比のズームレンズは、物体側より順に、正、負、正、正の屈折力のレンズ群より成る４群構成のものや、正、負、正、負、正の屈折力のレンズ群より成る５群構成のものが知られていた。負の屈折力の第２レンズ群の構成は、像面側に強い凹面を有したメニスカス形状の負レンズ、両レンズ面が凹形状の負レンズ、正レンズ、物体側の面が凹形状の負レンズの４枚構成のものが多い。そして第２レンズ群中の正レンズに、球面収差、コマ収差等を補正するために高屈折率で、且つ、色収差を補正するために高分散の材料を用いていた。そのため現在実用化されている硝材の中からこの条件を満たす硝材を選択すると、部分分散比θｇＦが大きいものしか存在しないため、広角側での倍率色収差の二次スペクトルが大きくなる傾向にあった。
【００４４】
そこで、各実施例では、第２レンズ群Ｌ２を３枚の負レンズと２枚の正レンズを有する構成としている。そして正レンズの内、屈折力の大きな正レンズＰ２Ａの硝材を条件式（１）、（２）を満足する範囲で選択している。
【００４５】
条件式（１）を満足することは、従来に比べ比較的低分散側の硝材を用いることになる。このため、正レンズ一枚だけでは第２レンズ群Ｌ２で発生する色収差が大きくなる。そこで少なくとももう一枚の正レンズＰ２Ｂを用いることで、色消しを行い、第２レンズ群Ｌ２で発生する色収差を小さくしている。
【００４６】
第２レンズ群Ｌ２は物体側より像側へ順に、像側の面が凹でメニスカス形状の負レンズ、負レンズ、正レンズ、負レンズ、正レンズより構成している。
【００４７】
先の条件式（１）、（２）を満足するとともに、第２レンズ群Ｌ２のレンズ構成をこのように構成することによって、第２レンズ群Ｌ２内における色消しを容易に行っている。
【００４８】
後群ＬＲは、広角端から望遠端へのズーミングに際して、物体側へ移動する少なくともひとつの正の屈折力のレンズ群を有し、レンズ群中の少なくともひとつの正レンズの材料の部分分散比をθｇＦａ、アッベ数をνｄａとするとき、
６０  ＜  νｄａ・・・（３）
−０.００１５×νｄａ＋０.６４２５＜θｇＦａ・・・（４）
なる条件を満足している。
【００４９】
後群ＬＲの正の屈折力のレンズ群中に条件式（３）、（４）を満足する異常分散硝子を用いて主に、広角側で発生する倍率収差の二次スペクトルを小さくしている。
【００５０】
尚、前述した後群ＬＲ中の正の屈折力のレンズ群は、第５レンズ群Ｌ５であり、第５レンズ群Ｌ５中の２つの正レンズは、いずれも条件式（３）、（４）を満足している。
【００５１】
第２レンズ群Ｌ２は少なくとも１つの非球面を有している。
【００５２】
このとき第２レンズ群Ｌ２中の最も物体側のメニスカス形状の負レンズの物体側の面を、レンズ中心からレンズ周辺へ行くに従って正の屈折力の強くなる非球面形状としている。これによって主にズーミングによる歪曲収差の変動を小さく抑えている。
【００５３】
第１レンズ群と第２レンズ群の焦点距離を各々ｆ１、ｆ２、広角端と望遠端における全系の焦点距離を各々ｆｗ、ｆｔとするとき、
【００５４】
【数２】
0004829586.tif 000002
【００５５】
なる条件を満足している。
【００５６】
条件式（５）は広角端における全系の焦点距離に対する第１レンズ群Ｌ１の焦点距離の範囲を規定するものである。条件式（５）の下限値を超えて第１レンズ群Ｌ１の正の屈折力が強くなりすぎると所定の長さのバックフォーカスを確保するのが困難になる。条件式（５）の上限値を超えて第１レンズ群Ｌ１の正の屈折力が弱くなりすぎると、バックフォーカスは長くなる方向となるが、レンズ系が大型化してくるので良くない。
【００５７】
条件式（６）は広角端における全系の焦点距離と望遠端における全系の焦点距離の積の平方根に対する第２レンズ群Ｌ２の焦点距離の範囲を規定するものである。条件式（６）の下限値を超えて第２レンズ群Ｌ２の負の屈折力が強くなりすぎるとレンズ系の小型化には有利な方向であるが、第２レンズ群Ｌ２で発生する諸収差が大きくなりこれを他のレンズ群でバランス良く補正することが困難となる。条件式（６）の上限値を超えて第２レンズ群Ｌ２の負の屈折力が弱くなりすぎると収差補正には有利であるが、レンズ系が大型化するので良くない。
【００５８】
更に好ましくは、条件式（５）、（６）の数値範囲を次の如く設定するのが良い。
【００５９】
【数３】
0004829586.tif 000003
【００６０】
◎ｉを物体側から像側へ数えたときの順序を示し、第ｉレンズ群の焦点距離をｆｉとする。
【００６１】
このとき、
１.５<ｆ３／｜ｆ２｜＜２.５・・・（７）
２＜｜ｆ４／ｆ２｜＜３.５・・・（８）
２＜ｆ５／｜ｆ２｜<５・・・（９）
なる条件を満足している。
【００６２】
条件式（７）は第２レンズ群Ｌ２の焦点距離の絶対値に対する第３レンズ群Ｌ３の焦点距離の範囲を規定するものである。条件式（７）の下限値を超えて第３レンズ群Ｌ３の正の屈折力が強くなりすぎるとレンズ系の小型化には有利な方向であるが、第３レンズ群Ｌ３で発生する諸収差が大きくなりこれを他のレンズ群でバランス良く補正することが困難となる。条件式（７）の上限値を超えて第３レンズ群Ｌ３の正の屈折力が弱くなりすぎると収差補正には有利であるが、レンズ系が大型化するので良くない。
【００６３】
条件式（８）は第２レンズ群Ｌ２の焦点距離の絶対値に対する第４レンズ群Ｌ４の焦点距離の絶対値の範囲を規定するものである。条件式（８）の下限値を超えて第４レンズ群Ｌ４の負の屈折力が強くなりすぎると、第４レンズ群Ｌ４で発生する諸収差が大きくなりこれを他のレンズ群でバランス良く補正することが困難となる。条件式（８）の上限値を超えて第４レンズ群Ｌ４の負の屈折力が弱くなりすぎると収差補正には有利であるが、所定のズーム比を得るための各レンズ群の移動量が大きくなり、レンズ系が大型化するので良くない。
【００６４】
条件式（９）は第２レンズ群Ｌ２の焦点距離の絶対値に対する第５レンズ群Ｌ５の焦点距離の範囲を規定するものである。条件式（９）の下限値を超えて第５レンズ群Ｌ５の正の屈折力が強くなりすぎると、長いバックフォーカスの確保には有利であるが第５レンズ群Ｌ５で発生する諸収差が大きくなりこれを他のレンズ群でバランス良く補正することが困難となる。条件式（９）の上限値を超えて第５レンズ群Ｌ５の正の屈折力が弱くなりすぎると収差補正には有利であるが、レンズ系が大型化するので良くない。
【００６５】
更に好ましくは、条件式（７）〜（９）の数値範囲を次の如く設定するのが良い。
【００６６】
１.６<ｆ３／｜ｆ２｜＜２.０・・・（７ａ）
２．２＜｜ｆ４／ｆ２｜＜３.０・・・（８ａ）
２．３＜ｆ５／｜ｆ２｜<４．０・・・（９ａ）
広角端でのバックフォーカスをＳＫｗとするとき、広角端における全系の焦点距離をｆｗとするとき、
１．８＜ＳＫｗ／ｆｗ＜２．９・・・（１０）
なる条件を満足している。
【００６７】
条件式（１０）は広角端の焦点距離に対する広角端のバックフォーカスの比を規定したものである。ズームレンズの像面側にクイックリターンミラーやローパスフィルター、赤外カットフィルター等の部材を配置するためのスペースを確保する意味のものである。条件式（１０）の下限値を超えて広角端のバックフォーカスが短くなると前述の部材を配置するスペースが小さくなりすぎるので良くない。又、条件式（１０）の上限値を越えて広角端のバックフォーカスが長くなりすぎると、レンズ全長が長くなってくるので良くない。
【００６８】
尚、ここでいうバックフォーカスとは空気中での最終レンズ面（屈折力のある面）から像面までの長さであり、ローパスフィルター、赤外カットフィルター等を除いたときの長さである。
【００６９】
更に好ましくは、条件式（１０）の数値範囲を次の如く設定するのが良い。
【００７０】
１．９＜ＳＫｗ／ｆｗ＜２．５・・・（１０ａ）
ｉを物体側から像側へ数えたときの順序を示し、広角端及び望遠端における第ｉレンズ
群と第ｉ＋１レンズ群のレンズ群間の空気間隔をＤｉｗ，Ｄｉｔとするとき、
Ｄ１ｗ  ＜  Ｄ１t
Ｄ２ｗ  ＞  Ｄ２t
Ｄ３ｗ  ＜  Ｄ３t
Ｄ４ｗ  ＞  Ｄ４t
なる条件を満足している。
【００７１】
このように、ズーミングに際して各レンズ群に変倍を分担することで、少ない移動量で所定のズーム比を達成することが可能となり、レンズ系全体をコンパクトにしている。
【００７２】
第５レンズ群Ｌ５の最も物体側のレンズ面は、レンズ中心からレンズ周辺へ行くにしたがって正の屈折力の弱くなる非球面形状として、主に像面湾曲を補正している。そして、第３レンズ群Ｌ３にレンズ中心からレンズ周辺に行くに従って正の屈折力の弱くなる形状の非球面を用いることで、主にズーミングによる球面収差の変動を小さくしている。
【００７３】
無限遠物体から至近物体へのフォーカシングを第２レンズ群Ｌ２を光軸方向物体側へ移動させて行っている。このように所謂インナーフォーカス方式を用いることで、第１レンズ群Ｌ１でフォーカスを行うのに比べ、第１レンズ群Ｌ１のレンズ径を小型化でき、さらに、レンズ全長の小型化を容易にしている。
【００７４】
第４レンズ群の全部又は一部のレンズ群を光軸と垂直方向の成分を持つように移動させて結像位置の変移を行っている。具体的には、第４レンズ群Ｌ４を負の屈折力の第４ａレンズ群Ｌ４ａと負の屈折力の第４ｂレンズ群Ｌ４ｂに分割し、第４ａレンズ群Ｌ４ａを光軸と略垂直方向の成分を持つように移動させて、手ぶれ等による画像ブレの劣化を防止する、所謂、防振を行なっている。
【００７５】
以上のように各実施例のズームレンズは、物体側より像側へ順に、正の屈折力の第1レンズ群Ｌ１、負の屈折力の第２レンズ群Ｌ２、及び全体として正の屈折力を有する後群ＬＲより構成している。そして第２レンズ群Ｌ２を前述の如く構成することで、全系がコンパクトで広角端から望遠端まで色収差が良好に補正された高い光学性能を得ている。
【００７６】
特に広角域を含み、異常分散特性を有するガラスや蛍石等の使用枚数を増加させることなく良好な色収差補正、特に倍率色収差の二次スペクトルを良好に補正することのできるズームレンズを得ている。
【００７７】
以下に本発明の数値実施例１〜４を示す。各数値実施例において、ｉは物体側からの面の順序を示し、ｒｉは物体側より第ｉ番目の面の曲率半径、ｄｉは物体側より第ｉ番目と第ｉ＋１番目の間隔、ｎｉとνｉは第ｉ番目の光学部材のｄ線に対する屈折率とアッベ数である。ｆ、ｆｎｏ、２ωはそれぞれ無限遠物体に焦点を合わせたときの全系の焦点距離、Ｆナンバー、画角を表している。
【００７８】
又、物体側から像側へ数えて第ｉレンズＧｉの材料のｄ、ｇ、ｃ、ｆ線に対する屈折率も同様に示す。
【００７９】
非球面形状は光軸方向にＸ軸、光軸と垂直方向にＨ軸、光の進行方向を正、Ｒを近軸曲率半径、ｋを離心率、ｂ、ｃ、ｄ、ｅを各々非球面係数としたとき、
Ｘ＝（１／Ｒ）Ｈ２／(１＋（１−（１＋ｋ）（Ｈ／Ｒ）２）１／２)
＋ｂＨ４＋ＣＨ６＋ｄＨ８＋ｅＨ１０
なる式で表している。
【００８０】
また、例えば、「Ｅ−Ｚ」の表示は「１０−Ｚ」を意味する。
【００８１】
そして、前述の各条件式と数値実施例における諸数値との関係を表１に示す。
数値実施例１
ｆ=  17.5〜53.4 fno=1:2.9   2ω=75.9°〜28.7° 
r 1=   217.373        ｄ 1=   1.90    n 1=1.84666  ν 1=23.9
r 2=    74.677        ｄ 2=   8.65    n 2=1.60311  ν2=60.6
r 3=  -799.538        ｄ 3=   0.15                          
r 4=    48.982        ｄ 4=   7.03    n 3=1.71300  ν3=53.9
r 5=   122.553        ｄ 5= 可変                            
r 6=    74.290(非球面)ｄ 6=   0.05    n 4=1.51640  ν4=52.2
r 7=    59.996        ｄ 7=   1.20    n 5=1.80400  ν5=46.6
r 8=    12.277        ｄ 8=   6.81                          
r 9=   -37.400        ｄ 9=   1.00    n 6=1.83481  ν6=42.7
r10=    37.400        ｄ10=   0.15                          
r11=    27.209        ｄ11=   4.93    n 7=1.83400  ν7=37.2
r12=   -36.493        ｄ12=   0.53                          
r13=   -25.912        ｄ13=   0.90    n 8=1.80400  ν8=46.6
r14=    25.912        ｄ14=   3.60    n 9=1.80518  ν9=25.4
r15=  -225.909        ｄ15= 可変                            
r16=フレアーカット絞りｄ16=   0.00                          
r17=   254.806        ｄ17=   3.50    n10=1.58913  ν10=61.1
r18=   -39.891        ｄ18=   1.00                          
r19=   開口絞り       d  19=   2.32                          
r20=    36.378(非球面)ｄ20=   8.54    n11=1.58313  ν11=59.4
r21=   -16.418        ｄ21=   2.50    n12=1.84666  ν12=23.9
r22=   -26.192        ｄ22= 可変                            
r23=   -51.807        ｄ23=   2.61    n13=1.84666  ν13=23.9
r24=   -18.890        ｄ24=   0.80    n14=1.69680  ν14=55.5
r25=    61.977        ｄ25=   5.05                        
r26=   -28.304        ｄ26=   1.20    n15=1.84666  ν15=23.9
r27=   -85.924        ｄ27=   1.98    n16=1.58913  ν16=61.1
r28=   -39.814        ｄ28= 可変                            
r29=   129.162(非球面)ｄ29=   0.08    n17=1.51640  ν17=52.2
r30=   154.426        ｄ30=   1.32    n18=1.83400  ν18=37.2
r31=    36.157        ｄ31=   6.47    n19=1.49700  ν19=81.5
r32=   -36.157        ｄ32=   0.15                          
r33=    64.804        ｄ33=   8.20    n20=1.49700  ν20=81.5
r34=   -23.782        ｄ34=   1.70    n21=1.74950  ν21=35.3
r35=   -38.936     
焦点距離    17.50  28.70  53.44 
可変間隔                             
ｄ  5        3.30  16.65  32.55 
ｄ 15       17.20   9.08   2.26 
ｄ 22        2.20   6.49  10.69 
ｄ 28        9.72   5.44   1.23 
kinＦ       35.29  39.38  47.67 
非球面係数
第 6面          Ｂ             c        ｄ             e     
1.457415e-05 -3.790177e-08 6.739559e-11 -1.117466e-13 
第20面         Ｂ              c        ｄ             e     
-8.402971e-06 -1.432432e-08 9.773360e-11 -2.555962e-13 
第29面        Ｂ              c         ｄ             e  
-6.201996e-06 1.518167e-08 -5.562855e-11 1.910063e-13 
数値実施例２
f=  17.6〜53.5 fno=1:2.9    2ω=75.8°〜28.7° 
r 1=   223.608        ｄ 1=   2.00    n 1=1.84666  ν1=23.9
r 2=    74.292        ｄ 2=   8.00    n 2=1.71300  ν2=53.9
r 3=   753.184        ｄ 3=   0.15                          
r 4=    56.699        ｄ 4=   6.85    n 3=1.71300  ν3=53.9
r 5=   156.652        ｄ 5= 可変                            
r 6=   151.553(非球面)ｄ 6=   0.08    n 4=1.52421  ν4=51.4
r 7=    75.460        ｄ 7=   1.20    n 5=1.80400  ν5=46.6
r 8=    14.406        ｄ 8=   6.90                          
r 9=   -38.154        ｄ 9=   1.00    n 6=1.83481  ν6=42.7
r10=    34.113        ｄ10=   0.15                          
r11=    29.904        ｄ11=   6.18    n 7=1.85026  ν7=32.3
r12=   -34.673        ｄ12=   1.04                          
r13=   -20.470        ｄ13=   1.10    n 8=1.83481  ν8=42.7
r14=   113.547        ｄ14=   2.76    n 9=1.76182  ν9=26.5
r15=   -44.975        ｄ15= 可変                            
r16=フレアーカット絞りｄ16=   0.00                          
r17=    91.970        ｄ17=   4.00    n10=1.70154  ν10=41.2
r18=   -55.085        ｄ18=   1.00                          
r19=     開口絞り     ｄ19=   1.68                          
r20=    49.212        ｄ20=   4.59    n11=1.62299  ν11=58.2
r21=   -30.911        ｄ21=   1.20    n12=1.84666  ν12=23.9
r22=  -243.465        ｄ22=   0.15                          
r23=   139.830        ｄ23=   3.55    n13=1.58313  ν13=59.4
r24=   -45.129(非球面)ｄ24= 可変                            
r25=   -55.323        ｄ25=   2.65    n14=1.84666  ν14=23.9
r26=   -19.675        ｄ26=   0.80    n15=1.71300  ν15=53.9
r27=    55.427        ｄ27=   5.06                        
r28=   -18.369        ｄ28=   1.30    n16=1.84666  ν16=23.9
r29=   -31.472        ｄ29=   2.77    n17=1.56384  ν17=60.7
r30=   -20.827        ｄ30= 可変                            
r31=   178.749(非球面)ｄ31=   1.40    n18=1.83400  ν18=37.2
r32=    51.188        ｄ32=   6.17    n19=1.49700  ν19=81.5
r33=   -33.030        ｄ33=   0.15                          
r34=    64.597        ｄ34=   7.79    n20=1.43875  ν20=95.0
r35=   -23.981        ｄ35=   1.70    n21=1.74950  ν21=35.3
r36=   -40.355   
焦点距離   17.56  32.24   53.48 
可変間隔                             
ｄ  5       3.66  22.77   35.80 
ｄ 15      18.69   7.91    1.43 
ｄ 24       1.91   7.04   11.52 
ｄ 30      10.39   5.26    0.78 
kinＦ      35.08  40.14   46.98 
非球面係数
第 6面         Ｂ           c           ｄ             e      
2.366100e-05 -7.419836e-08 2.614834e-10 -2.601540e-13 
第24面        Ｂ            c           ｄ             e   
5.394064e-06 1.270430e-08 -1.149192e-10 4.704737e-13
第31面       Ｂ             c            ｄ            e   
-2.882469e-06 7.626800e-09 -2.682456e-11 5.805594e-14
数値実施例３ 
f=  17.6〜53.5  fno=1:2.9   2ω=75.8°〜28.7° 
r 1=   224.523        ｄ 1=   2.00    n 1=1.84666  ν1=23.9
r 2=    69.716        ｄ 2=   8.24    n 2=1.71300  ν2=53.9
r 3=   727.700        ｄ 3=   0.15                          
r 4=    54.571        ｄ 4=   7.04    n 3=1.71300  ν3=53.9
r 5=   160.021        ｄ 5= 可変                            
r 6=   175.325(非球面)ｄ 6=   0.08    n 4=1.52421  ν4=51.4
r 7=    74.902        ｄ 7=   1.20    n 5=1.77250  ν5=49.6
r 8=    13.343        ｄ 8=   6.74                          
r 9=   -43.218        ｄ 9=   1.00    n 6=1.83481  ν6=42.7
r10=    50.929        ｄ10=   0.15                          
r11=    33.704        ｄ11=   4.47    n 7=1.83400  ν7=37.2
r12=   -58.516        ｄ12=   1.60                          
r13=   -19.122        ｄ13=   1.10    n 8=1.80400  ν8=46.6
r14=   149.586        ｄ14=   2.69    n 9=1.84666  ν9=23.9
r15=   -40.439        ｄ15= 可変                            
r16=フレアーカット絞りｄ16=   0.00                          
r17=    61.659        ｄ17=   4.00    n10=1.51633  ν10=64.1
r18=   -42.423        ｄ18=   1.00                          
r19=     開口絞り     ｄ19=   1.68                          
r20=    48.836(非球面)ｄ20=   7.18    n11=1.58313  ν11=59.4
r21=   -18.938        ｄ21=   1.40    n12=1.84666  ν12=23.9
r22=   -28.812        ｄ22= 可変                            
r23=   -46.118        ｄ23=   3.13    n13=1.84666  ν13=23.9
r24=   -17.935        ｄ24=   0.80    n14=1.71300  ν14=53.9
r25=    68.666        ｄ25=   5.36                        
r26=   -26.651        ｄ26=   1.30    n15=1.84666  ν15=23.9
r27=   -90.221        ｄ27=   3.22    n16=1.48749  ν16=70.2
r28=   -27.740        ｄ28= 可変                            
r29=    67.879(非球面)ｄ29=   1.40    n17=1.83400  ν17=37.2
r30=    33.134        ｄ30=   7.49    n18=1.49700  ν18=81.5
r31=   -34.462        ｄ31=   0.15                          
r32=    93.341        ｄ32=   7.11    n19=1.49700  ν19=81.5
r33=   -25.633        ｄ33=   1.70    n20=1.74950  ν20=35.3
r34=   -49.869     
焦点距離   17.56    33.13  53.49 
可変間隔                             
ｄ  5       3.54    22.30  34.49 
ｄ 15      17.23     7.05   1.45 
ｄ 22       1.95     7.50  11.11 
ｄ 28       9.95     4.40   0.79 
kinＦ      35.09    40.05  47.00 
非球面係数
第 6面        Ｂ             c          ｄ             e  
2.787928e-05 -8.535193e-08 2.858855e-10 -2.859387e-13
第20面       Ｂ              c          ｄ             e   
-1.196077e-05 -1.273960e-08 1.028722e-10 -3.649232e-13 
第29面       Ｂ              c          ｄ             e     
-2.809630e-06 1.303811e-08 -7.214413e-11 2.150567e-13 
数値実施例４ 
f=  17.6〜53.5 fno=1:2.9   2ω=75.8°〜28.7° 
r 1=   223.998        ｄ 1=   2.00    n 1=1.84666  ν1=23.9
r 2=    68.670        ｄ 2=   8.43    n 2=1.71300  ν2=53.9
r 3=   842.660        ｄ 3=   0.15                          
r 4=    54.455        ｄ 4=   7.10    n 3=1.71300  ν3=53.9
r 5=   165.442        ｄ 5= 可変                            
r 6=   193.952(非球面)ｄ 6=   0.08    n 4=1.52421  ν4=51.4
r 7=    79.212        ｄ 7=   1.20    n 5=1.77250  ν5=49.6
r 8=    13.179        ｄ 8=   6.60                          
r 9=   -43.430        ｄ 9=   1.00    n 6=1.83481  ν6=42.7
r10=    53.044        ｄ10=   0.15                          
r11=    34.427        ｄ11=   4.40    n 7=1.83400  ν7=37.2
r12=   -57.174        ｄ12=   1.48                          
r13=   -19.452        ｄ13=   1.10    n 8=1.80400  ν8=46.6
r14=    94.049        ｄ14=   2.73    n 9=1.84666  ν9=23.9
r15=   -43.384        ｄ15= 可変                            
r16=フレアーカット絞りｄ16=   0.00                          
r17=    63.048        ｄ17=   4.00    n10=1.51633  ν10=64.1
r18=   -43.046        ｄ18=   1.00                          
r19=   開口絞り       ｄ19=   1.68                          
r20=    46.885(非球面)ｄ20=   8.46    n11=1.58313  ν11=59.4
r21=   -18.432        ｄ21=   1.50    n12=1.84666  ν12=23.9
r22=   -27.966        ｄ22= 可変                            
r23=   -47.631        ｄ23=   3.16    n13=1.84666  ν13=23.9
r24=   -18.114        ｄ24=   0.80    n14=1.71300  ν14=53.9
r25=    62.441        ｄ25=   5.25
r26=   -27.320        ｄ26=   1.30    n15=1.84666  ν15=23.9
r27=  -104.690        ｄ27=   3.16    n16=1.48749  ν16=70.2
r28=   -29.617        ｄ28= 可変                            
r29=    66.348(非球面)ｄ29=   1.40    n17=1.83400  ν17=37.2
r30=    34.187        ｄ30=   0.07                          
r31=    33.653        ｄ31=   7.27    n18=1.49700  ν18=81.5
r32=   -35.005        ｄ32=   0.15                          
r33=    98.702        ｄ33=   7.28    n19=1.49700  ν19=81.5
r34=   -25.109        ｄ34=   0.08                          
r35=   -25.085        ｄ35=   1.70    n20=1.74950  ν20=35.3
r36=   -46.868   
焦点距離    17.56   33.03   53.48 
可変間隔                             
ｄ  5        3.48   21.91   33.79 
ｄ 15       16.87    7.03    1.43 
ｄ 22        1.95    7.07   10.26 
ｄ 28        9.14    4.01    0.82 
kinＦ       35.08   40.40   48.04 
非球面係数
第 6面        Ｂ              c          ｄ           e      
2.875922e-05 -8.692215e-08 2.658157e-10 -2.499509e-13 
第20面        Ｂ              c          ｄ           e     
-1.210348e-05 -1.180873e-08 9.305176e-11 -3.053666e-13 
第29面        Ｂ              c          ｄ           e    
-3.670667e-06 1.219098e-08 -6.645631e-11 1.718782e-13 
数値実施例１
屈折率  
ｄ           ｇ           c           Ｆ 
Ｇ1     1.846660    1.893856     1.836554     1.871929
Ｇ2     1.603112    1.615409     1.600078     1.610024
Ｇ3     1.712995    1.729435     1.708974     1.722210
樹脂    1.516400     1.528843     1.513427     1.523331
Ｇ4     1.804000    1.825699     1.798815     1.816080
Ｇ5     1.834807    1.859527     1.828974     1.848514
Ｇ6     1.834000    1.862781     1.827376     1.849819
Ｇ7     1.804000    1.825699     1.798815     1.816080
Ｇ8     1.805181    1.847285     1.796106     1.827775
Ｇ9     1.589130    1.601034     1.586188     1.595824
Ｇ10    1.583126    1.595279     1.580134     1.589954
Ｇ11    1.846660    1.893856     1.836554     1.871929
Ｇ12    1.846660    1.893856     1.836554     1.871929
Ｇ13    1.696797    1.712339     1.692974     1.705522
Ｇ14    1.846660    1.893856     1.836554     1.871929
Ｇ15    1.589130    1.601034     1.586188     1.595824
樹脂     1.516400    1.528843     1.513427    1.523331
Ｇ16    1.834000    1.862781     1.827376     1.849819
Ｇ17    1.496999    1.504509     1.495138     1.501233
Ｇ18    1.496999    1.504509     1.495138     1.501233
Ｇ19    1.749500    1.776810     1.743260     1.764470
数値実施例２
屈折率  
ｄ               ｇ           c            Ｆ 
Ｇ1    1.846660        1.893856     1.836554     1.871929
Ｇ2    1.712995        1.729435     1.708974     1.722210
Ｇ3    1.712995        1.729435     1.708974     1.722210
樹脂   1.524210        1.537048      1.521150     1.531355
Ｇ4    1.804000        1.825699     1.798815     1.816080
Ｇ5    1.834807        1.859527     1.828974     1.848514
Ｇ6    1.850259        1.884505     1.842582     1.868918
Ｇ7    1.834807        1.859527     1.828974     1.848514
Ｇ8    1.761821        1.799923     1.753567     1.782296
Ｇ9    1.701536        1.723323     1.696503     1.713515
Ｇ10   1.622992        1.636296     1.619739     1.630450
Ｇ11   1.846660        1.893856     1.836554     1.871929
Ｇ12   1.583126        1.595279     1.580134     1.589954
Ｇ13   1.846660        1.893856     1.836554     1.871929
Ｇ14   1.712995        1.729435     1.708974     1.722210
Ｇ15   1.846660        1.893856     1.836554     1.871929
Ｇ16   1.563839        1.575316     1.561001     1.570295
Ｇ17   1.834000        1.862781     1.827376     1.849819
Ｇ18   1.496999        1.504509     1.495138     1.501233
Ｇ19   1.438750        1.444420     1.437334     1.441953
Ｇ20   1.749500        1.776810     1.743260     1.764470
数値実施例３
屈折率  
ｄ        ｇ          c          Ｆ 
Ｇ1     1.846660   1.893856   1.836554     1.871929
Ｇ2     1.712995   1.729435   1.708974     1.722210
Ｇ3     1.712995   1.729435   1.708974     1.722210
樹脂    1.524210   1.537048    1.521150     1.531355
Ｇ4     1.772499   1.791972   1.767798     1.783374
Ｇ5     1.834807   1.859527   1.828974     1.848514
Ｇ6     1.834000   1.862781   1.827376     1.849819
Ｇ7     1.804000   1.825699   1.798815     1.816080
Ｇ8     1.846660   1.893856   1.836554     1.871929
Ｇ9     1.516330   1.526214   1.513855     1.521905
Ｇ10    1.583126   1.595279   1.580134     1.589954
Ｇ11    1.846660   1.893856   1.836554     1.871929
Ｇ12    1.846660   1.893856   1.836554     1.871929
Ｇ13    1.712995   1.729435   1.708974     1.722210
Ｇ14    1.846660   1.893856   1.836554     1.871929
Ｇ15    1.487490   1.495964   1.485344     1.492285
Ｇ16    1.834000   1.862781   1.827376     1.849819
Ｇ17    1.496999   1.504509   1.495138     1.501233
Ｇ18    1.496999   1.504509   1.495138     1.501233
Ｇ19    1.749500   1.776810   1.743260     1.764470
数値実施例４
屈折率  
ｄ         ｇ          c           Ｆ 
Ｇ1   1.846660    1.893856    1.836554    1.871929
Ｇ2   1.712995    1.729435    1.708974    1.722210
Ｇ3   1.712995    1.729435    1.708974    1.722210
樹脂  1.524210    1.537048    1.521150     1.531355
Ｇ4   1.772499    1.791972    1.767798    1.783374
Ｇ5   1.834807    1.859527    1.828974    1.848514
Ｇ6   1.834000    1.862781    1.827376    1.849819
Ｇ7   1.804000    1.825699    1.798815    1.816080
Ｇ8   1.846660    1.893856    1.836554    1.871929
Ｇ9   1.516330    1.526214    1.513855    1.521905
Ｇ10  1.583126    1.595279    1.580134    1.589954
Ｇ11  1.846660    1.893856    1.836554    1.871929
Ｇ12  1.846660    1.893856    1.836554    1.871929
Ｇ13  1.712995    1.729435    1.708974    1.722210
Ｇ14  1.846660    1.893856    1.836554    1.871929
Ｇ15  1.487490    1.495964    1.485344    1.492285
Ｇ16  1.834000    1.862781    1.827376    1.849819
Ｇ17  1.496999    1.504509    1.495138    1.501233
Ｇ18  1.496999    1.504509    1.495138    1.501233
Ｇ19  1.749500    1.776810    1.743260    1.764470
【００８２】
【表１】
0004829586.tif 000004
【００８３】
次に実施例１〜４に示したズームレンズを撮像装置に適用した実施例を図１３を用いて説明する。
【００８４】
図１３は一眼レフカメラの要部概略図である。図１３において、１０は実施例１〜４のズームレンズ１を有する撮影レンズである。ズームレンズ１は保持部材である鏡筒２に保持されている。２０はカメラ本体であり、撮影レンズ１０からの光束を上方に反射するクイックリターンミラー３、撮影レンズ１０の像形成位置に配置された焦点板４、焦点板４に形成された逆像を正立像に変換するペンタダハプリズム５、その正立像を観察するための接眼レンズ６等によって構成されている。７は感光面であり、ＣＣＤセンサやＣＭＯＳセンサ等の像を受光する固体撮像素子（光電変換素子）や銀塩フィルムが配置される。撮影時にはクイックリターンミラー３が光路から退避して、感光面７上に撮影レンズ１０によって像が形成される。
【００８５】
実施例１〜４にて説明した利益は、本実施例に開示したような撮像装置において効果的に享受される。
【図面の簡単な説明】
【００８６】
【図１】実施例１のズームレンズのレンズ断面図
【図２】実施例１のズームレンズの広角端における諸収差図
【図３】実施例１のズームレンズの望遠端における諸収差図
【図４】実施例２のズームレンズのレンズ断面図
【図５】実施例２のズームレンズの広角端における諸収差図
【図６】実施例２のズームレンズの望遠端における諸収差図
【図７】実施例３のズームレンズのレンズ断面図
【図８】実施例３のズームレンズの広角端における諸収差図
【図９】実施例３のズームレンズの望遠端における諸収差図
【図１０】実施例４のズームレンズのレンズ断面図
【図１１】実施例４のズームレンズの広角端における諸収差図
【図１２】実施例４のズームレンズの望遠端における諸収差図
【図１３】本発明の撮像装置の要部概略図
【符号の説明】
【００８７】
Ｌ１    第１レンズ群
Ｌ２    第２レンズ群
Ｌ３    第３レンズ群
Ｌ４    第４レンズ群
Ｌ５    第５レンズ群
ＳＳＰ  フレアーカット絞り
ＳＰ    絞り
ＩＰ    像面
ｄ      ｄ線
ｇ      ｇ線
Ｃ      Ｃ線
Ｆ      Ｆ線
Ｓ・Ｃ  正弦条件
ΔｄＭ  ｄ線のメリディオナル像面
ΔｄＳ  ｄ線のサジタル像面
【図１３】
0004829586.tif 000005
【図１】
0004829586.tif 000006
【図２】
0004829586.tif 000007
【図３】
0004829586.tif 000008
【図４】
0004829586.tif 000009
【図５】
0004829586.tif 000010
【図６】
0004829586.tif 000011
【図７】
0004829586.tif 000012
【図８】
0004829586.tif 000013
【図９】
0004829586.tif 000014
【図１０】
0004829586.tif 000015
【図１１】
0004829586.tif 000016
【図１２】
0004829586.tif 000017